(57)【要約】ビデオ又はイメージディスプレイ装置１００は、画像を表示するためのディスプレイ１１０、及びディスプレイ１１０上の画像をリフレッシュするため、ディスプレイ１１０に作用的に結合されるディスプレイリフレッシュ回路２００を含んでいる。プロセッサ１０８は、ディスプレイ１１０及びディスプレイリフレッシュ回路２００に作用的に結合され、表示される画像のタイプを判定するために受信された画像を処理する。その後、プロセッサ１０８は、表示されている画像に依存してディスプレイリフレッシュ回路に供給されるクロック信号を変化又は停止する。これにより、表示されている画像のタイプに応答してリフレッシュレートが変化又は停止され、ディスプレイ装置の知覚できるフリッカなしにディスプレイ装置の電力消費を一定に最小にすることができるという効果を提供する。
2005534047.tif 000002
【特許請求の範囲】
【請求項１】
ディスプレイ上の画像をリフレッシュする方法（６００）であって、
ディスプレイに表示される画像を受信するステップ（６１０）を備え、
表示される画像のタイプを判定するため、受信された画像を処理するステップ（６２０）と、
画像のタイプに基づいて、表示される画像がリフレッシュされるレートを変化又は停止するステップ（６３０）とを備える、
ことを特徴とする方法。
【請求項２】
該リフレッシュレートを変化又は停止するステップ（６３０）は、ディスプレイのリフレッシュ動作に関わる回路に供給されるクロック信号を変化又は停止するステップを含む、
ことを特徴とする請求項１記載のディスプレイ上の画像をリフレッシュする方法。
【請求項３】
該リフレッシュレートを変化又は停止するステップは、表示されている画像のタイプに依存する期間についてクロック信号を変化又は停止するステップを含む、
ことを特徴とする請求項１又は２記載のディスプレイ上の画像をリフレッシュする方法。
【請求項４】
該クロック信号を変化又は停止するステップは、垂直同期（４２０）、水平同期（４３０）、データ（４４０）、ピクセルレート（４５０）を含むタイミングパラメータのうちの少なくとも１つを変化又は停止することに基づく、
ことを特徴とする請求項２記載のディスプレイ上の画像をリフレッシュする方法。
【請求項５】
請求項１記載の方法のステップを実行するために調整されるイメージ又はビデオ通信装置（１００）。
【請求項６】
該イメージ又はビデオ通信装置（１００）は、携帯電話、ポータブル又はモバイルラジオ、パーソナルデジタルアシスタント、ラップトップコンピュータ、無線ネットワーク用のパーソナルコンピュータのうちの１つである、
ことを特徴とする請求項５記載のイメージ又はビデオ通信装置。
【請求項７】
請求項１記載のいずれかのステップを実行するために調整されるディスプレイ装置（１１０）のリフレッシュレートを制御するためのディスプレイドライバ（１１１）。
【請求項８】
ビデオ又はイメージディスプレイ装置（１００）であって、
画像を表示するディスプレイ（１１０）と、
該ディスプレイに作用的に結合され、該ディスプレイ上の画像をリフレッシュするディスプレイリフレッシュ回路（２００）と、
該ディスプレイ及び該ディスプレイリフレッシュ回路に作用的に結合され、表示される画像のタイプを判定するため、受信された画像を処理するプロセッサ（１０８）とを備え、
該プロセッサは、表示されている画像に依存して該ディスプレイリフレッシュ回路に供給されるクロック信号を変化又は停止する、
ことを特徴とするビデオ又はイメージディスプレイ装置。
【請求項９】
該プロセッサに作用的に結合され、該プロセッサの制御下にあるクロックマネージメントファンクション（５７０）をさらに備え、該クロックマネージメントファンクションは、表示されている画像に基づいて該プロセッサからの制御信号に応答して、該ディスプレイリフレッシュ回路に供給されるクロック信号を変化又は停止する、
ことを特徴とする請求項８記載のビデオ又はイメージディスプレイ装置。
【請求項１０】
該プロセッサは、垂直同期（４２０）、水平同期（４３０）、データ（４４０）及びピクセルレート（４５０）を含む、ディスプレイに関連するタイミングパラメータのうちの少なくとも１つのタイミング信号に基づいて、該ディスプレイリフレッシュ回路への該クロック信号を変化又は停止すべきときを決定する、
ことを特徴とする請求項８又は９記載のビデオ又はイメージディスプレイ装置。
【請求項１１】
該プロセッサは、表示されている画像のタイプに依存して該クロック信号を変化又は停止する期間を決定する、
請求項８又は９記載のビデオ又はイメージディスプレイ装置。
【請求項１２】
請求項８記載のディスプレイ装置のリフレッシュレートを制御するために調整されるディスプレイドライバ（１１１）。
【発明の詳細な説明】
【技術分野】
【０００１】
本発明は、ディスプレイの電力消費量を低減する方法に関する。本発明は、限定されるものではないが、ディスプレイを動作及びリフレッシュするためのバッテリの電力が制限されるパーソナルデジタルアシスタント（ＰＤＡ）又は携帯電話のような、バッテリによりエネルギーが供給される装置で使用されるディスプレイ装置に適用される。
【背景技術】
【０００２】
次世代の移動通信システム及び固定通信システムは、更に慣習的な音声及びデータサービスだけでなく、ビデオ及びイメージ伝送のための機能を提供することが期待されている。かかるように、通信装置のビデオ及びイメージサービスが更に普及し、利用可能な通信帯域幅内での予想される消費者の要求を満足するため、ビデオ／イメージ圧縮技術における改善が必要とされる可能性が高い。
【０００３】
さらに、モバイルユーザは、移動している間でも、テキストストリング、テキストメッセージ、電子メール、イメージ及び／又はビデオのような更に多くのサービスにアクセスすることを望むので、ディスプレイ技術について同様の改善が要求される。現在のユーザのトレンドがより小型、より軽量、及びより携帯性の高い通信装置に向かうとすると、ディスプレイへの改善は、携帯用の通信装置の製造業者にとって鍵となるマーケットディファレンシエータであると考えられる。
【０００４】
ハンドヘルドのバッテリによりエネルギー供給される装置にとって、再充電動作の間でバッテリ寿命を長くするために電力消費量を最小にすることが重要である。カラー薄膜トランジスタ（ＴＦＴ）液晶ディスプレイ（ＬＣＤ）は、かかる装置で益々使用されている。かかるディスプレイでは、電力消費量は、（ｉ）リフレッシュレート、（ｉｉ）色バランス、及び（ｉｉｉ）表示されるイメージデータ（画素）の詳細の量のような特性に主に依存している。
【０００５】
ＬＣＤディスプレイが画像を表示するとき、画像は時間につれて色があせる。したがって、画像がクリアな状態を維持するためにリフレッシュすることが必要とされる。したがって、画素データは、一定かつ周期的にメモリから読み出され、ＬＣＤに供給され、画像を一度に１画素ずつリフレッシュするために使用される。
【０００６】
ディスプレイのリフレッシュレートは、人間の目にとって画像がリフレッシュされる前後で画像における違いを知覚できないように、十分に高く設定されなければならないことが知られている。さもなければ、目に見える画像のフリッカが生じる。
【発明の開示】
【発明が解決しようとする課題】
【０００７】
したがって、ディスプレイ及びディスプレイドライバ回路の電力消費量が低減されるように、ディスプレイを有する携帯用の通信装置、及び特に静止した画像を表示したときにディスプレイのリフレッシュレートを低減する方法を提供することが必要とされる。
【課題を解決するための手段】
【０００８】
本発明の第一の態様によれば、請求項１に記載されるように、ディスプレイ装置上で画像をリフレッシュする方法が提供される。
【０００９】
本発明の第二の態様によれば、請求項５に記載されるように、イメージ又はビデオ通信装置が提供される。
【００１０】
本発明の第三の態様によれば、請求項７に記載されるように、ディスプレイ装置のリフレッシュレートを制御するためのディスプレイドライバが提供される。
【００１１】
本発明の第四の態様によれば、請求項８に記載されるように、ビデオ又はイメージディスプレイ装置が提供される。
【００１２】
本発明の第五の態様によれば、請求項１２に記載されるように、ディスプレイ装置のリフレッシュレートを制御するためのディスプレイドライバが提供される。
【００１３】
本発明の更なる態様は、従属の請求項に記載されている。
【００１４】
要約すると、本発明は、ディスプレイのリフレッシュレートを停止又は変化させるため、表示されている画像のタイプに依存して、ディスプレイリフレッシュ回路に供給されるクロックを変化又は停止する手段を提供する。このようにして、ディスプレイが表示されている画像に基づいてリフレッシュされる必要がないとき、ディスプレイ装置の全体の電力消費量における低減を達成することができる。
【００１５】
このように、ある周期の間に制御／ドライバ回路のリフレッシュ動作を停止することで、リフレッシュサイクルの長さが増加され、これによりリフレッシュレートが低減される。
以下、添付図面を参照して本発明の例示的な実施の形態が説明される。
【発明を実施するための最良の形態】
【００１６】
要するに、本発明の発明者は、現在のところ、表示されている異なる画像のリフレッシュレートに関して区別がなされていない点を認識している。したがって、静止画像と動画像の両方について、同じリフレッシュレートが使用されている。とりわけ、静止、すなわち固定された画像は、たとえば、ビデオクリップ等のような動画像と同じ高いリフレッシュレートを必要としない。これにより、静止画像が表示されるときに必要とされるよりも高くリフレッシュされる表示となる。かかるリフレッシュレートは、不必要な電力を消費する。
【００１７】
本発明の好適な実施の形態は、携帯用のセルラー電話を参照して説明される。しかし、本実施の形態で説明される本発明のコンセプトは、パーソナルデジタルアシスタント（ＰＤＡ）、ポータブル又はモバイルラジオ、ラップトップコンピュータ又は無線ネットワーク用のパーソナルコンピュータ（ＰＣ）若しくはビデオ／イメージ伝送をサポートするためのディスプレイを有する如何なる他のデジタル装置のような、如何なる他のビデオ又はイメージディスプレイ装置にも同様に適用されることが本発明の意図するところである。
【００１８】
図１をはじめに参照して、本発明の好適な実施の形態の本発明のコンセプトをサポートするために適合されるセルラー式の加入者装置１００のブロック図が示されている。加入者ユニット１００は、デュープレックスフィルタ、アンテナスイッチ又はサーキュレータ１０４に好ましくは結合されるアンテナ１０２を含んでおり、このアンテナスイッチ又はサーキュレータは、加入者装置１００内での受信機と送信機チェインとの間の分離を提供する。
【００１９】
受信機のチェインは、従来技術で知られているように、（受信、フィルタリング及び中間周波又はベースバンド周波数の変換を効果的に提供する）スキャニングレシーバ・フロントエンド回路１０６を含んでいる。スキャニングフロントエンド回路１０６は、信号処理ファンクション１０８にシリアル結合されている。信号処理ファンクション１０８からの出力は、スクリーン又はフラットパネル液晶ディスプレイのような適切な出力装置１１０に供給される。スクリーン又はフラットパネルディスプレイ１１０は、ディスプレイドライバ回路１１１を含んでいる。
【００２０】
スクリーン又はフラットパネルディスプレイ１１０の画像がリフレッシュされるたびに、ディスプレイ装置内のそれぞれの画素は、典型的にリフレッシュされる。
【００２１】
また、受信機チェインは、受信信号の強度インジケータ（ＲＳＳＩ）回路１１２を含んでおり、このＲＳＳＩ回路は、全体の加入者装置の制御を維持するためにコントローラ１１４に結合される。タイマー１１８は、セルラー式の加入者装置１００内の（時間に依存する信号の送信又は受信を含めて）動作タイミングを制御するため、コントローラ１１４に作用的に結合される。また、コントローラ１１４は、送信されたビデオ又はイメージ信号を受信するため、スキャニングレシーバ・フロントエンド回路１０６と（一般にＤＳＰにより実現される）信号処理ファンクション１０８とに結合される。
【００２２】
したがって、コントローラ１１４は、回復された情報からビットエラーレート（ＢＥＲ）又はフレームエラーレート（ＦＥＲ）データを受ける。
【００２３】
本発明の好適な実施の形態によれば、マイクロプロセッサ１０８及び出力装置１１０並びにディスプレイドライバ１１１の間のインタラクションは、それぞれのエレメントの電力消費量を低減するために調整される。電力消費量における低減は、たとえば、ディスプレイ１１０に表示される静止画像又はビデオといった、画像のタイプを判定するか又は画像のタイプが通知されるマイクロプロセッサ１０８により達成される。判定又は情報に応答して、マイクロプロセッサは、ディスプレイのリフレッシュ動作を調整又は停止し、これによりリフレッシュ動作で使用されるそれぞれの装置の電力消費量が低減される。
【００２４】
表示される画像のタイプを判定する１つの例は、ファイルのタイプ（たとえば、静止画像であるビットマップ及びビデオクリップであるＭＰＥＧ等）により画像を簡単に識別することである。代替的に、実質的に静止した画像に対してデフォルトモードが設定され、
所定のアプリケーション（すなわち、ビデオクリップ等を表示可能なアプリケーション）が実行されているときにのみ、マイクロプロセッサは、通常のリフレッシュ動作に復帰する。
【００２５】
図２は、本発明の好適な実施の形態に係る、液晶ディスプレイ（ＬＣＤ）制御／ドライバ回路２００のブロック図を例示している。たとえば図１のマイクロプロセッサ１０８であるマイクロプロセッサは、制御レジスタ１３２を経由して、ＬＣＤコントローラ１４０及びＤＭＡコントローラ２２０を始動させる。マイクロプロセッサ１０８は、イメージメモリ２１０の内容をアドレスバス１３４及びデータバス１３６を介して管理する。この点に関して、本発明の好適な実施の形態によれば、マイクロプロセッサは、表示される画像のタイプを決定する。
【００２６】
また、ＬＣＤコントローラ１４０は、３つのタイミングリンク１４２ａ，１４２ｂ，１４２ｃを経由してＬＣＤパネル１１０に接続されており、これら３つのタイミングリンクは、タイミング信号である垂直同期（Ｖ−Ｓｙｎｃ）、水平同期（Ｈ−Ｓｙｎｃ）及びピクセルクロックのそれぞれを供給する。ＤＭＡコントローラ２２０は、画素データをＬＣＤパネル１１０に供給するデータラッチ２４０を経由して、ピクセルデータバス１４４を駆動する。ＬＣＤパネル１１０は、ＬＣＤディスプレイ及び制御回路（図示せず）を含んでいる。
【００２７】
また、ＬＣＤコントローラ１４０は、画素データの読み出しを調整し、画素データを利用可能にするため、タイミング制御信号をＬＣＤパネル１１０、ＤＭＡコントローラ２２０及びデータラッチ２４０に供給する。ＤＭＡコントローラ２２０は、アドレスバス及びデータバスを介してメモリ装置２１０から表示すべき画像の画素データを読み出す。メモリから読み出される画素データは、次いで、データラッチ２４０に通過される。ＬＣＤパネル１１０は、ＬＣＤコントローラ１４０により供給されるタイミング信号を受け、タイミング信号に応答して、それぞれの画素のデータを取り出す。ＬＣＤパネル１１０は、対応する画像を一度に１画素で系統的に表示する。
【００２８】
マイクロプロセッサ１０８により画像が、すなわち静止画像又は実質的に静止した画像（ビデオ）であると判定された場合、マイクロプロセッサ１０８は、調整された画像リフレッシュ動作を始動する。調整された画像リフレッシュ動作は、リフレッシュ動作で使用される上述された装置に供給されているタイミング信号を一時的に停止すること、又はリフレッシュレートが低減されるようにそれらの装置に供給されるタイミング信号のレートを低減することのいずれかを含んでいる。
【００２９】
図２に例示されるＬＣＤ制御／ドライバ回路２００は、適切なＬＣＤドライバ回路装置の単なる例であり、公知の如何なる他の適切な回路は、代替的に、本実施の形態で説明される本発明のコンセプトを容易にすること、及び実行することのために調整されることが理解される。
【００３０】
ＬＣＤパネル１１０が画像を表示したとき、画像は時間につれて色あせる。したがって、画像がクリアな状態のままであるため、画像がリフレッシュされることが必要である。したがって、画素データは、一定かつ周期的にメモリから取り出され、ＬＣＤパネルに供給され、画像を一度に１画素でリフレッシュするために使用される。
【００３１】
ディスプレイのリフレッシュレートは、人間の目にとって画像がリフレッシュされる前後で画像における違いを知覚できないように十分に高く設定される必要があり、さもなければフリッカが生じることが知られている。画像がリフレッシュされるたびに、ディスプレイ装置がリフレッシュされるたびに、一般にディスプレイ装置内のそれぞれの画素はリフレッシュされ、左上のコーナー３１０で開始し、図３に例示されるように、それぞれの画素を行３２０〜３６０毎にリフレッシュする。これに対する例外は、インタリーブが使用されたときであり、それにより画素の奇数及び偶数ラインが交互にリフレッシュされる。
【００３２】
ディスプレイのリフレッシュ動作は、図４のグラフ４００に示されるように、特定の信号タイミング４１０の状態に応答して制御されることが好ましい。本発明の好適な実施の形態は、受信されたビデオ又はイメージ信号と共にディスプレイと関連される垂直同期（Ｖ−Ｓｙｎｃ）４２０、水平同期（Ｈ−Ｓｙｎｃ）４３０、データ４４０及び画素クロック４５０を含む信号のタイミングを利用する。Ｈ−Ｓｙｎｃ４３０及び画素クロック４５０の周波数は、Ｖ−Ｓｙｎｃ４２０の周波数の数倍である。
【００３３】
Ｖ−Ｓｙｎｃ信号４２０は、次の全体の画像を取り入れることを何時始めるべきか、又は現在の画像の一部のリフレッシュを何時始めるべきかをディスプレイ装置１１０に通知するために使用される。Ｖ−Ｓｙｎｃ信号４２０は、図３の左上手のコーナー３１０により示されるように、リフレッシュ動作の垂直アラインメントがディスプレイ装置の上部に
戻る時を本質的に制御する。したがって、例示される実施の形態について、Ｖ−Ｓｙｎｃのそれぞれの低いパルスは、再び上部で開始するためのリフレッシュサイクルを生じ、これによりディスプレイのリフレッシュレートが本質的に設定される。
【００３４】
Ｈ−Ｓｙｎｃ信号４３０は、画素の次の水平ライン（行）をリフレッシュするのを始めるときをディスプレイ装置に通知するために使用される。したがって、Ｈ−Ｓｙｎｃ信号４３０は、リフレッシュ動作の水平のアラインメントがディスプレイ１１０のスクリーンの左手側での新たな行の開始に戻る時を制御する。
【００３５】
データ信号４４０は、ディスプレイ装置のそれぞれの画素のデータを含む。このデータは、ブロックに分割され、それぞれのブロックは、ディスプレイ装置での行を表している。図４に示されるように、これらのブロックは、Ｈ−Ｓｙｎｃタイミング信号４３０に対応している。さらに、行に含まれるデータは、一連の画素に更に分割されることが考えられ、それぞれの画素は、原色である赤、緑及び青に関連するビットに更に分割されることが好ましい。
【００３６】
本発明の好適な実施の形態によれば、マイクロプロセッサ１０８は、ディスプレイのリフレッシュ動作のタイミング信号をモニタする。モニタされるタイミング信号は、Ｖ−Ｓｙｎｃ、Ｈ−Ｓｙｎｃ又はＰｉｘｅｌ
Ｃｌｏｃｋのうちの１つであることが好ましい。図２に例示される制御ドライバ回路２００について、マイクロプロセッサ１０８がＶ−Ｓｙｎｃ信号をモニタ可能であるように、たとえば、マイクロプロセッサ１０８の汎用の入力／出力ポート（図示せず）を経由して、Ｖ−Ｓｙｎｃ信号がマイクロプロセッサ１０８に供給される。
【００３７】
例示される実施の形態では、マイクロプロセッサ１０８は、ディスプレイ及び制御／ドライバ回路が設けられる装置のメインプロセッサであることが好ましい。しかし、本装置がディスプレイ及びディスプレイ制御／ドライバ回路を制御する以外のタスクを実行する更なるプロセッサ（図示せず）を備えることも本発明は意図している。このケースでは、Ｖ−Ｓｙｎｃ信号は、装置の更なるプロセッサにより代替的にモニタされる場合がある。
【００３８】
マイクロプロセッサ１０８がＬＣＤパネル１１０に表示される画像のタイプに基づいて、リフレッシュレートを低減又は停止するための機械を決定したとき、マイクロプロセッサ１０８は、すなわち、リフレッシュ動作を停止するために制御／ドライバ回路２００に供給されるクロック信号（図示せず）に割り込みをする。
【００３９】
例示されるドライバ／制御回路２００のためのクロック信号は、ＬＣＤコントローラ１４０に供給され、このＬＣＤコントローラは、リフレッシュ動作の間に制御／ドライバ回路２００の各種エレメントのタイミング及び同期を制御する。これに供給されるクロック信号を停止する作用は、マイクロプロセッサ１０８を除いて制御／ドライバ回路２００が本質的に「フリーズ」することである。
【００４０】
クロック信号の停止は、マイクロプロセッサ１０８又は装置の更なるプロセッサの不可欠の部分である場合があるクロックマネージメント機能を経由して、マイクロプロセッサ１０８により好ましくは達成されるか、又は装置の更なるプロセッサにより達成される。
【００４１】
代替的に、図５における本発明の拡張された実施の形態に関して記載されるように、クロック信号制御は、（図５の）個別のクロックマネージメント装置５７０により提供される場合がある。この点に関して、クロックマネージメント装置５７０は、ディスプレイ１１０及び制御／ドライバ回路２００が提供される装置の各種コンポーネントに供給されるクロック信号を制御する。クロックマネージメント装置５７０が制御／ドライバ回路２００のためのクロック信号を停止した場合、このことは、後に説明されるように、マイクロプロセッサ１０８からの命令下で実行されることが好ましい。
【００４２】
表示されている画像のタイプに基づいて、マイクロプロセッサは、制御／ドライバ回路２００へのクロック信号を何時再開すべきか、リフレッシュ動作を何時再開すべきかを判定する。クロック信号が割り込まれる時間の周期は、ディスプレイにより表示されている画像が人間の目に対して実質的に影響を及ぼさない状態であるように選択される。
【００４３】
このように、制御／ドライバ回路２００により制御されるようなディスプレイ１１０の通常のリフレッシュレートは、ビデオクリップのような動画等が装置のユーザがフリッカ等を受けることなしに十分に表示されるために十分な頻度でリフレッシュされるようにすることができる。動画等のような高いリフレッシュレートを必要としない静止画像が表示されたとき、リフレッシュレートは、先に説明されたようにリフレッシュ動作を周期的に停止することで低減することができる。
【００４４】
好ましくは、このようにリフレッシュレートを低減するとき、クロック信号は、それぞれのリフレッシュサイクルに一度、すなわちそれぞれの完全なディスプレイのリフレッシュについて１度停止される。このことは、先に説明されたように、Ｖ−Ｓｙｎｃ信号をモニタリングすることで容易に達成される。図４では、例示される実施の形態について、Ｖ−Ｓｙｎｃ信号は、リフレッシュサイクル（Ｖ−Ｓｙｎｃデューティサイクル）の間に「ハイ“ｈｉｇｈ”」に設定されていることが分かる。リフレッシュサイクルの終わりで、Ｖ−Ｓｙｎｃ信号は、次のリフレッシュサイクルの開始を識別するため、再びハイに向かう前に短い期間４２２について「ロウ“ｌｏｗ”」となる。
【００４５】
本発明の好適な実施の形態では、マイクロプロセッサ１０８は、Ｖ−Ｓｙｎｃ信号をモニタする。リフレッシュサイクルの間の短い期間を示すロウ信号が検出されたとき、マイクロプロセッサ１０８は、要求される期間について制御／ドライバ回路２００へのクロック信号を停止するか、又は停止させる。この作用は、リフレッシュサイクルの間の期間を延長することであり、毎秒当たりのリフレッシュサイクルの数を効果的に低減し、したがってリフレッシュレートを低減することである。このように、制御／ドライバ回路２００へのクロック信号が停止される期間を変えることで、リフレッシュレートを要求されたように可変的に低減することができる。
【００４６】
このように、ディスプレイ及びディスプレイ制御／ドライバ回路による不必要に高い電力消費となる、不必要に高いリフレッシュレートを供給するという問題を回避することができ、マイクロプロセッサ１０８は、表示されている画像等のタイプに依存してリフレッシュレートを制御する。
【００４７】
本発明の拡張された実施の形態によれば、ディスプレイ及びディスプレイ制御／ドライバ回路を備える、たとえば移動通信装置といったディスプレイ装置が提供され、このディスプレイ装置では、本発明の先に説明された方法が実現される。
【００４８】
図５は、プロセッサシステム５００の一部に関する例を示しており、このプロセッサシステムは、たとえば図２のマイクロプロセッサ１０８であるプロセッサ（ＣＰＵ）、及びプロセッサシステム５００内のマイクロプロセッサ１０８の周辺コンポーネントへのクロック信号の供給を処理し、この周辺コンポーネントは、トラフィックコントローラ（ＴＣ）５２０、たとえば図２に例示される制御／ドライバ回路であるディスプレイドライバ回路（ＬＣＤ）、外部メモリインタフェース（ＥＭＩＦ）５４０等である。
【００４９】
例示される実施の形態について、ディスプレイドライバ２００は、液晶ディスプレイドライバであり、この液晶ディスプレイドライバは、薄膜トランジスタ（ＴＦＴ）ディスプレイのような液晶ディスプレイ（図示せず）を駆動するために使用され、この液晶ディスプレイドライバと共にプロセッサシステム５００が使用される。しかし、いずれか他のタイプのディスプレイのドライバは、このドライバと共にプロセッサシステム５００が使用され、本発明の範囲に影響を及ぼすことなしに液晶ディスプレイドライバについて置き換えられる。
【００５０】
理解できるように、発振器５５０は、クロック信号をプロセッサシステム５００に供給する。このクロック信号は、プロセッサシステム５００内の更なるクロック信号のための源として使用される。したがって、以下ではシードクロック信号と呼ばれる。例示される実施の形態では、シードクロック信号は、１２ＭＨｚの周波数を有している。
【００５１】
プロセッサシステム５００は、デジタルフェーズドロックループ（ＤＰＬＬ）５６０を備えており、このＤＰＬＬは、入力として発振器５５０からの１２ＭＨｚのシードクロック信号を有している。ＤＰＬＬ５６０は、シードクロック信号を使用して、シードクロック信号を乗算及び／除算することで、出力として基準クロック信号（RF_CLK）を生成する。
【００５２】
プロセッサシステム５００は、ＤＰＬＬ５６０により発生される基準クロック信号を入力として有している、装置のクロックマネージメント機能を提供するクロックマネージメント装置５７０を更に備えている。クロックマネージメント装置５７０は、マイクロプロセッサ１０８及びその周辺コンポーネントへの個々のクロック信号を供給するため、ＤＰＬＬ５６０からの基準クロック信号を乗算及び／又は除算する。したがって、例示される実施の形態では、クロックマネージメント装置は、プロセッサシステム５００内で必要とされる如何なる更なるクロック信号と共に、CPU_CLKクロック信号をマイクロプロセッサ１０８に供給し、TC_CLKクロック信号をトラフィックコントローラ５２０に供給し、LCD_CLKクロック信号をディスプレイドライバ２００に供給し、及びEMIF_CLKクロック信号を外部メモリインタフェース５４０に供給する。
【００５３】
マイクロプロセッサ１０８及び周辺コンポーネント５２０、２００、５４０のそれぞれに供給されるクロックレートは、ＤＰＬＬ５６０による基準クロック信号REF_CLKの発生と共同で依存し、クロックマネージメント装置５７０による特定のクロック信号CPU_CLK，TC_CLK，LCD_CLK及びEMIF_CLKの発生と個別に依存している。
【００５４】
ＤＰＬＬ５６０及びクロックマネージメント装置５７０は、マイクロプロセッサ１０８がそれらにより供給されるクロック信号を調整可能であるように、マイクロプロセッサ１０８によりそれぞれ構成可能である。このように、マイクロプロセッサ１０８は、共にＤＰＬＬ５６０の再構成により普遍的であるか、及び／又はクロックマネージメント装置５７０の再構成により個別に、マイクロプロセッサ自身及び周辺コンポーネントに供給されるクロック信号を変更可能である。
【００５５】
本発明によれば、ディスプレイ制御／ドライバ２００は、装置のディスプレイ（図示せず）のリフレッシュ動作を制御する。
【００５６】
ディスプレイのリフレッシュ動作のタイミング信号によれば、制御／ドライバ回路に供給されるクロック信号は、リフレッシュ動作を停止するため、たとえばクロックマネージメント装置５７０により中断される。このことは、マイクロプロセッサ１０８により始動されるのが好ましく、このマイクロプロセッサ１０８は、タイミング信号をモニタし、必要とされるとき、ディスプレイ制御／ドライバ回路２００へのクロック信号を停止することをクロックマネージメント装置５７０に指示する。
【００５７】
ディスプレイに表示されている画像に依存してマイクロプロセッサ１０８により決定されることが好ましい期間の後、制御／ドライバ回路へのクロック信号が再開される。たとえば、リフレッシュ動作を再開するため、マイクロプロセッサ１０８からクロックマネージメント装置５７０への信号に応答して、制御／ドライバ回路へのクロック信号の再開が行われる。クロック信号が中断される期間は、ディスプレイにより表示されている画像が人間の目に対して実質的に影響を及ぼさなくなるように選択される。
【００５８】
図６を参照して、本発明の好適な実施の形態に係る、ディスプレイのリフレッシュレートを調整する好適なプロセスに関するフローチャートが例示されている。プロセスは、ステップ６１０で、表示される画像をプロセッサが受信するステップを含んでいる。次いで、プロセッサは、ステップ６２０に示されるように、如何なる公知のメカニズムにより、表示される画像のタイプを判定する。その後、プロセッサ（又はクロックマネージメント機能）は、表示されている画像のリフレッシュレートを変えるため、ある期間について、ディスプレイリフレッシュ（制御及び／又はドライバ）回路における如何なる回路又は装置に供給される１以上のクロック信号を変化又は停止する。
【００５９】
先に説明されたディスプレイリフレッシュ制御に関するイメージ又はビデオ通信装置及び方法は、以下の利点のうちの少なくとも幾つかを提供することが理解される。
（ｉ）ディスプレイ装置の電力消費を最小に保持するため、表示されている画像のタイプに応答して、ディスプレイを見る人／ユーザへのディスプレイ装置の知覚できるフリッカなしに、リフレッシュレートが変化又は停止される。
（ｉｉ）ディスプレイ装置の電力消費量は、見られる画像又はビデオの品質を保持しつつ、劇的に最適化される。
【００６０】
本実施の形態で記載される全ての他の特徴及び実現、及び／又は図面に例示される全ての他の特徴及び実現は、好適な追加及び／又は代替としてのみ考えられ、本発明の範囲に限定するものではない。
【００６１】
本発明の実施の形態の特定及び好適な実現が先に説明されたが、当業者であれば、かかる発明のコンセプトの変形及び変更を容易に取り入れることは明らかである。
【００６２】
したがって、特に静止した画像を表示するときに、公知のディスプレイ技術に関する問題を実質的に回避する、ディスプレイを有する携帯用の通信装置、及びディスプレイのリフレッシュレートを低減する方法が説明された。
【図面の簡単な説明】
【００６３】
【図１】本発明の好適な実施の形態の本発明のコンセプトをサポートするために適合されるバッテリによりエネルギー供給される無線加入者装置のブロック図である。
【図２】図１の加入者装置の好適なディスプレイドライバ構成のブロック図である。
【図３】ディスプレイリフレッシュ動作のグラフによる例を示す図である。
【図４】本発明の好適な実施の形態の発明のコンセプトをサポートするための使用される加入者装置のタイミングチャートである。
【図５】本発明の拡張された実施の形態に係る、クロック信号の供給を扱うプロセッサシステムの一部に関するブロック図を示す図である。
【図６】本発明の好適な実施の形態に係る、ディスプレイのリフレッシュレートを調節する好適なプロセスに関するフローチャートである。
【図１】
2005534047.tif 000003
【図２】
2005534047.tif 000004
【図３】
2005534047.tif 000005
【図４】
2005534047.tif 000006
【図５】
2005534047.tif 000007
【図６】
2005534047.tif 000008
【手続補正書】
【提出日】平成16年5月26日(2004.5.26)
【手続補正１】
【補正対象書類名】特許請求の範囲
【補正対象項目名】全文
【補正方法】変更
【補正の内容】
【特許請求の範囲】
【請求項１】
ディスプレイ上の画像をリフレッシュする方法（６００）であって、
ディスプレイに表示される画像を受信するステップ（６１０）を備え、
表示される画像のタイプを判定するため、受信された画像を処理するステップ（６２０）と、
表示された画像が画像のタイプに基づいてリフレッシュされるレートを停止するためにクロック信号を中断するステップ（６３０）とを備える、
ことを特徴とする方法。
【請求項２】
該クロック信号を中断するステップは、垂直同期（４２０）、水平同期（４３０）、データ（４４０）及びピクセルレート（４５０）を含むタイミングパラメータのうちの少なくとも１つを停止するステップを含む、
請求項１記載のディスプレイ上の画像をリフレッシュする方法。
【請求項３】
請求項１記載の方法のステップを実行するために調整されるイメージ又はビデオ通信装置（１００）。
【請求項４】
該イメージ又はビデオ通信装置は、携帯電話、ポータブル又はモバイルラジオ、パーソナルデジタルアシスタント、ラップトップコンピュータ、無線ネットワーク用のパーソナルコンピュータのうちの１つである、
請求項３記載のイメージ又はビデオ通信装置。
【請求項５】
請求項１記載の方法のステップを実行するために調整されるディスプレイ装置のリフレッシュレートを制御するためのディスプレイドライバ（１１１）。
【請求項６】
ビデオ又はイメージディスプレイ装置（１００）であって、
画像を表示するディスプレイ（１１０）と、
該ディスプレイに作用的に結合され、該ディスプレイ上の画像をリフレッシュするディスプレイリフレッシュ回路（２００）と、
該ディスプレイ及び該ディスプレイリフレッシュ回路に作用的に結合され、表示される画像のタイプを判定するため、受信された画像を処理するプロセッサ（１０８）とを備え、
該プロセッサは、表示される画像が画像のタイプに基づいてリフレッシュされるレートを停止するためにクロック信号を停止するために構成される、
ことを特徴とするビデオ又はイメージディスプレイ装置。
【請求項７】
該プロセッサに作用的に結合され、該プロセッサの制御下にあるクロックマネージメントファンクション（５７０）を更に備え、該クロックマネージメントファンクションは、表示されている画像に基づいて該プロセッサからの制御信号に応答して該ディスプレイリフレッシュ回路に供給されるクロック信号を停止する、
ことを特徴とする請求項６記載のビデオ又はイメージディスプレイ装置。
【請求項８】
該プロセッサは、垂直同期（４２０）、水平同期（４３０）、データ（４４０）及びピクセルレート（４５０）を含むディスプレイに関連するタイミングパラメータのうちの少なくとも１つのタイミング信号に基づいて該クロック信号を中断するときを決定する、
請求項６又は７記載のビデオ又はイメージディスプレイ装置。
【請求項９】
該プロセッサは、表示されている画像のタイプに依存するクロック信号を停止するための期間を決定する、
請求項６又は７記載のビデオ又はイメージディスプレイ装置。
【請求項１０】
請求項６記載のディスプレイ装置のリフレッシュレートを制御するために調整されるディスプレイドライバ。
【請求項１１】
ディスプレイ上の画像をリフレッシュする方法（６００）であって、
ディスプレイで表示される画像を受信するステップ（６１０）を備え、
表示される画像のタイプを判定するため、受信された画像を処理するステップ（６２０）と、
表示されている画像のタイプに依存する期間について、表示された画像が画像のタイプに基づいてリフレッシュされるレートを停止するためにクロック信号を中断するステップとを備える、
ことを特徴とする方法。
【請求項１２】
該中断するステップ（６３０）は、ディスプレイのリフレッシュ動作に関わる回路に供給されるクロック信号を停止するステップを含む、
ことを特徴とする請求項１１記載のディスプレイ上の画像をリフレッシュする方法。
【請求項１３】
該クロック信号を中断するステップは、垂直同期（４２０）、水平同期（４３０）、データ（４４０）及びピクセルレート（４５０）を含むタイミングパラメータのうちの少なくとも１つを変化又は停止することに基づく、
請求項１１記載のディスプレイ上の画像をリフレッシュする方法。
【請求項１４】
請求項１１記載の方法のステップを実行するために調整されるイメージ又はビデオ通信装置（１００）。
【請求項１５】
該イメージ又はビデオ通信装置（１００）は、携帯電話、ポータブル又はモバイルラジオ、パーソナルデジタルアシスタント、ラップトップコンピュータ、無線ネットワーク用のパーソナルコンピュータのうちの１つである、
請求項１４記載のイメージ又はビデオ通信装置。
【請求項１６】
請求項１１記載の方法のステップを実行するために調整されるディスプレイ装置（１１０）のリフレッシュレートを制御するためのディスプレイドライバ（１１１）。
【請求項１７】
ビデオ又はイメージディスプレイ装置（１００）であって、
画像を表示するディスプレイ（１１０）と、
該ディスプレイに作用的に結合され、該ディスプレイ上の画像をリフレッシュするディスプレイリフレッシュ回路（２００）と、
該ディスプレイ及び該ディスプレイリフレッシュ回路に作用的に結合され、表示される画像のタイプを決定するため、受信された画像を処理するプロセッサ（１０８）とを備え、
該プロセッサは、表示されている画像のタイプに依存する期間について、表示されている画像に依存して該ディスプレイリフレッシュ回路に供給されるクロック信号を中断する、
ことを特徴とするビデオ又はイメージディスプレイ装置。
【請求項１８】
該プロセッサに作用的に結合され、該プロセッサの制御下にあるクロックマネージメントファンクション（５７０）をさらに備え、該クロックマネージメントファンクションは、表示されている画像に基づいて該プロセッサからの制御信号に応答して該ディスプレイリフレッシュ回路に供給されるクロック信号を中断する、
請求項１７記載のビデオ又はイメージディスプレイ装置。
【請求項１９】
該プロセッサは、垂直同期（４２０）、水平同期（４３０）、データ（４４０）及びピクセルレート（４５０）を含むディスプレイ（１１０）に関するタイミングパラメータのうちの少なくとも１つのタイミング信号に基づいて該ディスプレイリフレッシュ回路（２００）へのクロック信号を中断するときを決定する、
請求項１９又は２０記載のビデオ又はイメージディスプレイ装置（１００）。
【請求項２０】
請求項１９記載のディスプレイ装置のリフレッシュレートを制御するために調整されるディスプレイドライバ（１１１）。
【国際調査報告】
2005534047.tif 000009
2005534047.tif 000010
2005534047.tif 000011